(57)【特許請求の範囲】
【請求項１】
昇降路内を昇降可能なかご及び釣合おもり、
水平に延びる第１回転軸を中心に回転可能な第１駆動シーブを含む薄形の第１駆動装置と、上記第１回転軸に平行な第２回転軸を中心に回転可能な第２駆動シーブを含む薄形の第２駆動装置とを有し、上記昇降路の垂直投影面内において、上記かご及び上記釣合おもりのそれぞれの領域外に配置され、上記かご及び上記釣合おもりを上記昇降路内で昇降させるための駆動力を発生する駆動力発生ユニット、及び
上記第２駆動シーブを避けて上記第１駆動シーブに巻き掛けられた第１主ロープと、上記第１駆動シーブを避けて上記第２駆動シーブに巻き掛けられた第２主ロープとを有し、上記かご及び上記釣合おもりを吊り下げる主ロープ体
を備え、
上記第１駆動装置の一部は、上記昇降路の垂直投影面内において、上記第２駆動装置の領域に重なり、かつ、上記第１駆動シーブは、上記昇降路の垂直投影面内において、上記第２駆動装置の領域外に配置されていることを特徴とするエレベータ装置。
【請求項２】
昇降路内を昇降可能なかご及び釣合おもり、
水平に延びる第１回転軸を中心に回転可能な第１駆動シーブを含む薄形の第１駆動装置と、上記第１回転軸に平行な第２回転軸を中心に回転可能な第２駆動シーブを含む薄形の第２駆動装置とを有し、上記昇降路の垂直投影面内において、上記かご及び上記釣合おもりのそれぞれの領域外に配置され、上記かご及び上記釣合おもりを上記昇降路内で昇降させるための駆動力を発生する駆動力発生ユニット、及び
上記第２駆動シーブを避けて上記第１駆動シーブに巻き掛けられた第１主ロープと、上記第１駆動シーブを避けて上記第２駆動シーブに巻き掛けられた第２主ロープとを有し、上記かご及び上記釣合おもりを吊り下げる主ロープ体
を備え、
上記第１駆動シーブの外径寸法は、上記第２駆動シーブの外径寸法よりも大きくなっており、
上記第１駆動シーブの一部は、上記昇降路の垂直投影面内において、上記第２駆動シーブの領域に重なり、かつ、上記第２駆動シーブは、上記昇降路の垂直投影面内において、上記第１駆動シーブの径方向端部間に配置されていることを特徴とするエレベータ装置。
【請求項３】
上記第２駆動装置は、上記昇降路の垂直投影面内において、上記第１駆動装置の領域内に配置されていることを特徴とする請求項２に記載のエレベータ装置。
【発明の詳細な説明】
【技術分野】
【０００１】
この発明は、昇降路内でかご及び釣合おもりが昇降されるエレベータ装置に関するものである。
【背景技術】
【０００２】
従来のエレベータ装置では、大容量化を図るために、２つの薄形巻上機が昇降路内の上部に設けられることがある。各薄形巻上機は、昇降路の垂直投影面内において、かごを挟むように互いに対向している。各薄形巻上機のトラクションシーブには、互いに異なる吊りロープがそれぞれ巻き掛けられている。各吊りロープの一端部はかごに接続され、各吊りロープの他端部は釣合おもりに接続されている。かご及び釣合おもりは、各吊りロープにより昇降路内に吊り下げられている。【０００３】
また、従来のエレベータ装置では、トラクションシーブの軸線が互いに平行になるように２つの薄形巻上機が昇降路内の上部に並べて配置されることもある。この場合、各薄形巻上機のトラクションシーブには、共通の吊りロープが巻き掛けられている。吊りロープの一端部はかごに接続され、吊りロープの他端部は釣合おもりに接続されている。また、吊りロープは、一方のトラクションシーブに巻き掛けられた後、他方のトラクションシーブに巻き掛けられ、一方のトラクションシーブに再度巻き掛けられている。即ち、吊りロープは、フルラップローピング方式により各トラクションシーブに巻き掛けられている（特許文献１参照）。【０００４】
【特許文献１】特開平１１−３１０３７２号公報
【発明の開示】
【発明が解決しようとする課題】
【０００５】
しかし、各薄形巻上機が互いに対向するように配置されたエレベータ装置では、各薄形巻上機が昇降路の垂直投影面内において互いに離れて配置されているので、水平方向について、２つ分の薄形巻上機の設置スペースが必要になり、昇降路の水平断面積が大きくなってしまう。【０００６】
また、各薄形巻上機が並べて配置されたエレベータ装置では、吊りロープがフルラッピング方式により各トラクションシーブに巻き掛けられているので、吊りロープの寿命が短くなってしまう。【０００７】
この発明は、上記のような課題を解決するためになされたものであり、昇降路の縮小化を図ることができ、かつ、かご及び釣合おもりを吊り下げる主ロープの長寿命化を図ることができるエレベータ装置を得ることを目的とする。
【課題を解決するための手段】
【０００８】
この発明によるエレベータ装置は、昇降路内を昇降可能なかご及び釣合おもり、水平に延びる第１回転軸を中心に回転可能な第１駆動シーブを含む薄形の第１駆動装置と、第１回転軸に平行な第２回転軸を中心に回転可能な第２駆動シーブを含む薄形の第２駆動装置とを有し、昇降路の垂直投影面内において、かご及び釣合おもりのそれぞれの領域外に配置され、かご及び釣合おもりを昇降路内で昇降させるための駆動力を発生する駆動力発生ユニット、及び第２駆動シーブを避けて第１駆動シーブに巻き掛けられた第１主ロープと、第１駆動シーブを避けて第２駆動シーブに巻き掛けられた第２主ロープとを有し、かご及び釣合おもりを吊り下げる主ロープ体を備え、第１駆動装置の一部は、昇降路の垂直投影面内において、第２駆動装置の領域に重なり、かつ、第１駆動シーブは、昇降路の垂直投影面内において、第２駆動装置の領域外に配置されている。
【図面の簡単な説明】
【０００９】
【図１】この発明の実施の形態１によるエレベータ装置を示す構成図である。
【図２】図１のエレベータ装置を示す平面図である。
【図３】図１のエレベータ装置を示す要部側面図である。
【図４】この発明の実施の形態２によるエレベータ装置を示す構成図である。
【図５】図４のエレベータ装置を示す平面図である。
【図６】図４のエレベータ装置を示す要部側面図である。
【発明を実施するための最良の形態】
【００１０】
以下、この発明の好適な実施の形態について図面を参照して説明する。
実施の形態１．
図１は、この発明の実施の形態１によるエレベータ装置を示す構成図である。また、図２は図１のエレベータ装置を示す平面図であり、図３は図１のエレベータ装置を示す要部側面図である。図において、昇降路１内には、かご２及び釣合おもり３がそれぞれ昇降可能に設けられている。かご２の正面には、かご出入口４が設けられている。かご２及び釣合おもり３は、昇降路１の垂直投影面内において、昇降路１の奥行き方向（水平面上において、かご２の正面に対して垂直な方向）について、昇降路１内に互いに並べて配置されている。即ち、実施の形態１によるエレベータ装置は、釣合おもり３がかご２の背面側を昇降される釣合おもり後落ちタイプのエレベータ装置とされている。【００１１】
昇降路１内の下部には、かご２及び釣合おもり３を昇降させるための駆動力を発生する駆動力発生ユニット５が設けられている。駆動力発生ユニット５は、昇降路１の垂直投影面内において、かご２及び釣合おもり３の各領域外に配置されている。この例では、駆動力発生ユニット５は、昇降路１の垂直投影面内において、昇降路１の内壁面とかご２との間に配置されている（図２）。また、駆動力発生ユニット５は、第１巻上機（第１駆動装置）６と、第１巻上機６の上方に配置された第２巻上機（第２駆動装置）７とを有している。【００１２】
第１巻上機６は、水平に延びる第１回転軸８を含む第１駆動装置本体９と、第１回転軸８に設けられ、第１回転軸８を中心に回転可能な第１駆動シーブ１０とを有している。第１駆動シーブ１０は、第１駆動装置本体９の駆動力により、第１回転軸８と一体に回転されるようになっている。また、第１巻上機６は、径方向についての寸法が軸線方向についての寸法よりも大きくされた扁平で薄形の巻上機である。【００１３】
第２巻上機７は、水平に延びる第２回転軸１１を含む第２駆動装置本体１２と、第２回転軸１１に設けられ、第２回転軸１１を中心に回転可能な第２駆動シーブ１３とを有している。第２駆動シーブ１３は、第２駆動装置本体１２の駆動力により、第２回転軸１１と一体に回転されるようになっている。また、第２巻上機７は、径方向についての寸法が軸線方向についての寸法よりも大きくされた扁平で薄形の巻上機である。【００１４】
第１巻上機６及び第２巻上機７は、第１回転軸８と第２回転軸１１とが互いに平行になるように、昇降路１内に配置されている。また、第１巻上機６及び第２巻上機７は、第１及び第２回転軸８，１１の軸線方向について、互いにずらして配置されている。さらに、第１巻上機６の一部は、昇降路１の垂直投影面内において、第２巻上機７の領域に重なっている。さらにまた、第１駆動シーブ１０は、昇降路１の垂直投影面内において、第２巻上機７の領域外に配置されている。即ち、第１巻上機６は、昇降路１の垂直投影面内において、第１駆動シーブ１０が第２巻上機７の領域から外れるように第２巻上機７に対してずらして配置されている。【００１５】
第１駆動シーブ１０には、複数本の第１主ロープ１４が巻き掛けられている。また、第２駆動シーブ１３には、複数本の第２主ロープ１５が巻き掛けられている。主ロープ体１６は、各第１主ロープ１４及び各第２主ロープ１５を有している。かご２及び釣合おもり３は、主ロープ体１６により昇降路１内に吊り下げられている。【００１６】
昇降路１内の上部には、主ロープ体１６がそれぞれ巻き掛けられたかご側返し車１７及び一対のおもり側返し車１８が設けられている。かご側返し車１７及び各おもり側返し車１８は、駆動力発生ユニット５の上方に配置されている。また、昇降路１内の上部には、主ロープ体１６の一端部が接続されたかご側綱止め装置１９と、主ロープ体１６の他端部が接続されたおもり側綱止め装置２０が設けられている。【００１７】
かご２の下部には、主ロープ体１６が巻き掛けられた一対のかご吊り車２１が設けられている。また、釣合おもり３の上部には、主ロープ体１６が巻き掛けられたおもり吊り車２２が設けられている。【００１８】
各第１主ロープ１４の一端部はかご側綱止め装置１９に接続され、各第１主ロープ１４の他端部はおもり側綱止め装置２０に接続されている。各第１主ロープ１４は、かご側綱止め装置１９から、各かご吊り車２１、かご側返し車１７、第１駆動シーブ１０、各おもり側返し車１８及びおもり吊り車２２の順に巻き掛けられ、おもり側綱止め装置２０に至っている。即ち、各第１主ロープ１４は、第２駆動シーブ１３を避けて昇降路１内に張られている。第２巻上機７が第１巻上機６に対してずらして配置されていることから、第１駆動シーブ１０に巻き掛けられた各第１主ロープ１４と第２巻上機７との干渉は回避される。【００１９】
各第２主ロープ１５の一端部はかご側綱止め装置１９に接続され、各第２主ロープ１５の他端部はおもり側綱止め装置２０に接続されている。各第２主ロープ１５は、かご側綱止め装置１９から、各かご吊り車２１、かご側返し車１７、第２駆動シーブ１３、各おもり側返し車１８及びおもり吊り車２２の順に巻き掛けられ、おもり側綱止め装置２０に至っている。即ち、各第２主ロープ１５は、第１駆動シーブ１０を避けて昇降路１内に張られている。【００２０】
即ち、かご２及び釣合おもり３は、２：１ローピング方式で各シーブに巻き掛けられた第１主ロープ１４及び第２主ロープ１５により昇降路１内に吊り下げられている。【００２１】
なお、駆動力発生ユニット５には、エレベータの運転を制御する制御装置（図示しない）が電気的に接続されている。第１巻上機６及び第２巻上機７は、第１駆動シーブ１０及び第２駆動シーブ１３が同期して回転するように制御装置により制御される。【００２２】
次に、動作について説明する。第１駆動シーブ１０及び第２駆動シーブ１３は、制御装置の第１巻上機６及び第２巻上機７への制御により、互いに同期して回転される。これにより、各第１主ロープ１４及び各第２主ロープ１５が移動され、かご２及び釣合おもり３が昇降路１内を昇降される。【００２３】
このようなエレベータ装置では、かご２及び釣合おもり３を吊り下げる主ロープ体１６が、第２巻上機７の第２駆動シーブ１３を避けて第１巻上機６の第１駆動シーブ１０に巻き掛けられた第１主ロープ１４と、第１駆動シーブ１０を避けて第２駆動シーブ１３に巻き掛けられた第２主ロープ１５とを有し、昇降路１の垂直投影面内において、第１巻上機６の一部が第２巻上機７の領域に重なり、かつ、第１駆動シーブ１０が第２巻上機７の領域外に配置されているので、第１巻上機６及び第２巻上機７の各設置スペースの一部が水平方向について共通化され、昇降路１の水平断面積を小さくすることができる。従って、昇降路１の縮小化を図ることができる。また、第１駆動シーブ１０の上下方向についての空間が第２巻上機７によって遮られることがなくなるので、第１主ロープ１４と第２巻上機７との干渉を回避することができる。これにより、第１主ロープ１４を転向させるためのシーブの数の増加を防止することも図ることができる。さらに、第１主ロープ１４及び第２主ロープ１５の第１駆動シーブ１０及び第２駆動シーブ１３に対する巻き掛け方式が通常のシングルラップローピング方式とされている（フルラップローピング方式ではない）ので、第１主ロープ１４及び第２主ロープ１５のそれぞれの長寿命化も図ることができる。【００２４】
なお、上記の例では、駆動力発生ユニット５が昇降路１内の下部に設けられているが、昇降路１内の上部に駆動力発生ユニット５を設けてもよい。この場合、第１巻上機６は、第２巻上機７の上方に配置され、昇降路１の垂直投影面内において第１駆動シーブ１０が第２巻上機７の領域外に配置されるように、第２巻上機７に対してずらして配置される。【００２５】
実施の形態２．
図４は、この発明の実施の形態２によるエレベータ装置を示す構成図である。また、図５は図４のエレベータ装置を示す平面図であり、図６は図４のエレベータ装置を示す要部側面図である。図において、かご２及び釣合おもり３は、昇降路１の垂直投影面内において、昇降路１の幅方向（かご出入口４の間口方向）について、昇降路１内に互いに並べて配置されている。即ち、実施の形態２によるエレベータ装置は、釣合おもり３がかご２の側面側を昇降される釣合おもり横落ちタイプのエレベータ装置とされている。【００２６】
駆動力発生ユニット５は、昇降路１の垂直投影面内において、かご２及び釣合おもりの各領域外に配置されている。この例では、駆動力発生ユニット５は、昇降路１の垂直投影面内において、かご２の領域と釣合おもり３の領域との間に配置されている。また、駆動力発生ユニット５は、第２巻上機７と、第２巻上機７の下方に配置され、径方向についての寸法が軸線方向についての寸法よりも大きくされた扁平で薄形の第１巻上機３１とを有している。【００２７】
第１巻上機３１は、水平に延びる第１回転軸３２を含む第１駆動装置本体３３と、第１回転軸３２に設けられ、第１回転軸３２を中心に回転可能な第１駆動シーブ３４とを有している。第１駆動シーブ３４は、第１駆動装置本体３３の駆動力により、第１回転軸３２と一体の回転されるようになっている。【００２８】
第１巻上機３１は、第１回転軸３２が第２回転軸１１に対して平行になるように、昇降路１内に配置されている。また、第２巻上機７は、昇降路１の垂直投影面内において、第１巻上機３１の領域内に配置されている。【００２９】
第１駆動シーブ３４の外径寸法は、第２駆動シーブ１３の外径寸法よりも大きくなっている。また、第１駆動シーブ３４の一部は、昇降路１の垂直投影面内において、第２駆動シーブ１３の領域に重なっている。さらに、第２駆動シーブ１３は、昇降路１の垂直投影面内において、第１駆動シーブ３４の径方向端部間に配置されている。この例では、第２駆動シーブ１３は、昇降路１の垂直投影面内において、第１駆動シーブ３４の領域内に配置されている。【００３０】
第１駆動シーブ３４には、各第１主ロープ１４が第２駆動シーブ１３を避けて巻き掛けられている。第２駆動シーブ１３が昇降路１の垂直投影面内において第１駆動シーブ３４の径方向端部間に配置されていることから、第１駆動シーブ３４に巻き掛けられた各第１主ロープ１４と第２駆動シーブ１３との干渉は回避されている。【００３１】
制御装置は、第１主ロープ１４及び第２主ロープ１５が互いに同期して移動するように、第１巻上機３１及び第２巻上機７を制御するようになっている。他の構成は実施の形態１と同様である。【００３２】
このようなエレベータ装置では、第１駆動シーブ３４の外径寸法が第２駆動シーブ１３の外径寸法よりも大きくされ、第１駆動シーブ３４の一部が昇降路１の垂直投影面内において第２駆動シーブ１３の領域に重なり、かつ、第２駆動シーブ１３が昇降路１の垂直投影面内において第１駆動シーブ３４の径方向端部間に配置されているので、主ロープ体１６を転向させるためのシーブの数を増加することなく主ロープ体１６に対して第１巻上機３１及び第２巻上機７が干渉することを防止することができる。また、昇降路１の垂直投影面内における第１駆動シーブ３４及び第２駆動シーブ１３の各領域の一部が水平方向について共通化されるので、昇降路１の水平断面積をさらに小さくすることができる。従って、昇降路１の縮小化をさらに図ることができる。【００３３】
また、第２巻上機７は、昇降路１の垂直投影面内において、第１巻上機３１の領域内に配置されているので、第１巻上機３１及び第２巻上機７の水平方向についての共通部分の面積をさらに大きくすることができる。これにより、昇降路１の水平断面積をさらに小さくすることができ、昇降路１の縮小化をさらに図ることができる。【００３４】
なお、上記の例では、駆動力発生ユニット５が昇降路１内の下部に設けられているが、昇降路１内の上部に駆動力発生ユニット５を設けてもよい。この場合、第１巻上機３１は、第２巻上機７の上方に配置される。【００３５】
また、各上記実施の形態では、かご２及び釣合おもり３の吊り下げ方式が２：１ローピング方式とされているが、かご２及び釣合おもり３の吊り下げ方式を１：１ローピング方式としてもよい。この場合、主ロープ体１６の一端部及び他端部は、かご２及び釣合おもり３のそれぞれに直接接続される。
【図１】
0004694507.tif 000002
【図２】
0004694507.tif 000003
【図３】
0004694507.tif 000004
【図４】
0004694507.tif 000005
【図５】
0004694507.tif 000006
【図６】
0004694507.tif 000007